(57)【要約】      （修正有）【課題】スランプ試験においてスランプコーンを引き抜いた際、コンクリートの中心位置のズレを容易に評価することのできるスランプ測定器具を提供する。【解決手段】スランプ測定器具は、スランプ試験が実施される金属平板上に立設される４本の支柱と、該支柱同士に掛け渡され、スランプコーン引抜き前のフレッシュコンクリートの中心位置で交わるように設置される水糸とを備えたことを特徴とする。また、本発明に係るスランプ測定方法は、金属平板上でスランプコーンを引き抜いた後、フレッシュコンクリートの周囲に少なくとも４本の支柱を立設し、該支柱を水糸で結ぶことによって該水糸の交点をスランプコーン引抜き前のフレッシュコンクリートの中心位置となるように設置し、スランプコーン引抜き後のフレッシュコンクリートの中心位置を評価した後、スランプを測定することを特徴とする。【選択図】図１
2011214956.tif 000002
【特許請求の範囲】
【請求項１】
スランプ試験が実施される金属平板上に立設される４本の支柱と、該支柱同士に掛け渡され、スランプコーン引抜き前のフレッシュコンクリートの中心位置で交わるように設置される水糸とを備えたことを特徴とするスランプ測定器具。
【請求項２】
前記水糸が交差するように掛け渡された際に該水糸の交差部分に載置しうる透明シートをさらに備え、該透明シートには、前記水糸の交点に配置される点を中心とする円が形成されているか又は描かれていることを特徴とする請求項１記載のスランプ測定器具。
【請求項３】
金属平板上でスランプコーンを引き抜いた後、フレッシュコンクリートの周囲に少なくとも４本の支柱を立設し、該支柱を水糸で結ぶことによって該水糸の交点をスランプコーン引抜き前のフレッシュコンクリートの中心位置となるように設置し、スランプコーン引抜き後のフレッシュコンクリートの中心位置を評価した後、スランプを測定することを特徴とするスランプ測定方法。
【請求項４】
前記水糸の交点に、円が形成されているか又は描かれている透明シートの該円の中心を重ね合わせた後、スランプコーン引抜き後のフレッシュコンクリートの中心位置を評価することを特徴とする請求項３記載のスランプ測定方法。
【発明の詳細な説明】
【技術分野】
【０００１】
本発明は、コンクリートのスランプを測定する際に用いられるスランプ測定器具、およびスランプ測定方法に関する。
【背景技術】
【０００２】
従来、コンクリートのコンシステンシーを評価する代表的な試験方法として、スランプ試験が広く用いられている。通常、このスランプ試験は、ＪＩＳ  Ａ１１０１「コンクリートのスランプ試験方法」に規定された方法に基づいて行われる。
具体的には、水平に設置した平板上にスランプコーンと呼ばれる円錐台形状の試験用容器を置き、その内部にフレッシュコンクリートを入れて突き棒で突いた後、コンクリートの上面をスランプコーンの上端に合わせるようにしてならす。そして、スランプコーンを静かに鉛直方向に引き上げ、コンクリートの上面がどれだけ下がったかを０．５ｃｍ単位で測定するという方法である。
このスランプの値が大きければ、そのコンクリートの流動性が高いと評価されれ、建築分野等では１５ｃｍから１８ｃｍ程度のものが使用されることが多い。
【発明の概要】
【発明が解決しようとする課題】
【０００３】
しかしながら、スランプコーンを引き抜いた際にコンクリートが真っ直ぐに沈まず、コンクリート上面が中心位置からズレる場合がある。このような場合には再試験を行う必要があるが、中心位置の判定が非常に難しく、再試験の要否判定が困難であるという問題がある。
【０００４】
本発明は、上記のような従来技術の問題点に鑑みてなされたものであり、スランプ試験においてスランプコーンを引き抜いた際、コンクリートの中心位置のズレを容易に評価することのできるスランプ測定器具、およびスランプ測定方法を提供することを目的とする。
【課題を解決するための手段】
【０００５】
上記のような課題に鑑み、本発明に係るスランプ測定器具は、スランプ試験が実施される金属平板上に立設される４本の支柱と、該支柱同士に掛け渡され、スランプコーン引抜き前のフレッシュコンクリートの中心位置で交わるように設置される水糸とを備えたことを特徴とする。
【０００６】
斯かる構成のスランプ測定器具によれば、金属平板の中央で準備したスランプコーンを引き上げた後、例えば該金属平板の四隅に４本の支柱を立設し、該支柱のうち金属平板の対角線上に配置された支柱同士を水糸で掛け渡すことにより、該水糸の交点がスランプコーン引き抜き前のフレッシュコンクリートの中心位置を示すため、広がったコンクリートを上方から目視することによって容易にズレ具合を評価することができる。
【０００７】
また、本発明に係るスランプ測定器具は、好ましくは、前記水糸が交差するように掛け渡された際に該水糸の交差部分に載置しうる透明シートをさらに備え、該透明シートには、前記水糸の交点に配置される点を中心とする円が形成されているか又は円が描かれていることを特徴とする。
【０００８】
斯かる構成のスランプ測定器具によれば、該水糸の交差部分に透明シートを載置することで、該透明シートには、水糸の交点に配置される点を中心とする円が形成されているか又は描かれているため、該円を目安にしてフレッシュコンクリートの中心からの位置ズレをより一層容易に評価することができる。
【０００９】
さらに、本発明に係るスランプ測定方法は、金属平板上でスランプコーンを引き抜いた後、フレッシュコンクリートの周囲に少なくとも４本の支柱を立設し、該支柱を水糸で結ぶことによって該水糸の交点をスランプコーン引抜き前のフレッシュコンクリートの中心位置となるように設置し、スランプコーン引抜き後のフレッシュコンクリートの中心位置を評価した後、スランプを測定することを特徴とする。
【００１０】
斯かる構成のスランプ測定方法によれば、水糸の交点をスランプコーン引抜き前のフレッシュコンクリートの中心位置となるように配置することにより、スランプコーンを引き抜いた後のフレッシュコンクリートの中心位置のズレを評価しやすくなり、再試験の必要性について簡易且つ正確に判断することが可能となる。
【００１１】
また、本発明に係るスランプ測定方法は、好ましくは、前記水糸の交点に、円が形成されているか又は描かれている透明シートの該円の中心を重ね合わせた後、スランプを測定することを特徴とする。
【００１２】
斯かる構成のスランプ測定方法によれば、前記水糸の交点に、円が形成されているか又は描かれている透明シートの該円の中心を重ね合わせた後、スランプを測定することにより、該円を目安にしてフレッシュコンクリートの中心の位置ズレをより一層容易に評価することができる。
【発明の効果】
【００１３】
以上のように、本発明に係るスランプ測定器具および測定方法によれば、スランプ試験においてスランプコーンを引き抜いた際、フレッシュコンクリートの中心位置のズレを容易且つ正確に評価することが可能となり、スランプ試験を正確且つ迅速に実施することが可能となる。
【図面の簡単な説明】
【００１４】
【図１】本発明の一実施形態のスランプ測定器具を、金属製の平板上に立設した状態を示した斜視図。
【図２】一実施形態のスランプ測定器具の一部を拡大して示した斜視図。
【図３】一実施形態のスランプ測定器具の使用状態を示した図であり、（ａ）は平板を上方より見た平面図、（ｂ）は側面図。
【図４】一実施形態のスランプ測定器具の使用状態を示した平面図。
【図５】透明シートを示した斜視図。
【発明を実施するための形態】
【００１５】
以下、図面を参照しながら本発明の一実施形態であるスランプ測定器具について説明する。図１は、本実施形態のスランプ測定器具を金属平板２０の上に立設した状態を示した図である。該図１に示すように、本実施形態のスランプ測定器具は、金属平板２０に磁力で固定される磁石２と、該磁石２から金属平板２０に対して垂直に立設される支柱３とを各々備えた４個の自立支柱体１、１・・・で構成されている。該自立支柱体１、１・・・のうちの２つには、支柱３に対して上下移動自在に取り付けられる上下移動ケース６、６が備えられており、さらに、該上下移動ケース６、６には、水糸巻き取りケース４、４が設けられている。
【００１６】
図２は、スランプ測定器具を構成する自立支柱体１の一部を拡大して示した図である。該図２に示すように、上下移動ケース６は、支柱３が挿通される断面Ｕ字状のスライド部と、水糸巻き取りケース４を収容する収容部とを備えて構成されている。スライド部には、該スライド部を貫通して支柱３と直交するように当接する固定ネジ７が備えられており、該固定ネジ７を締め付けることによって該上下移動ケース６を支柱３の任意の高さに固定しうるようになっている。
【００１７】
上下移動ケース６の収容部に収容された水巻き取りケース４は、適当な張力を作用させながら水糸５を出し入れしうるように構成されており、その内部には、例えばゼンマイ等の巻き取り機構（図示せず）が備えられている。
また、水糸５の先端には、該水糸５の先端を支柱３へと引っ掛けるためのリング５ａが備えられている。
【００１８】
次に、上記構成のスランプ測定器具を用いてスランプを測定するスランプ測定方法について説明する。図３は、斯かる構成のスランプ測定器具１の使用状態を示した平面図であり、金属平板２０の中央部に、スランプコーンを引き抜いた後のフレッシュコンクリート５０が存在する状態を示したものである。つまり、図３に示すように、本発明に係るスランプ測定方法は、スランプコーンを引き抜いた後のフレッシュコンクリートの周囲に上述のようなスランプ測定器具を設置し、フレッシュコンクリートの崩れ方、具体的には、フレッシュコンクリートが横方向へ大きくズレるようにして崩れていないかどうかを判定するものである。通常、フレッシュコンクリートが横方向へ大きくズレるようにして崩れた場合には、スランプゲージによる測定を行わず、再びスランプコーンの引き抜きをやり直す。
【００１９】
図３に示すように、本実施形態のスランプ測定方法では、金属平板２０上でスランプコーン（図示せず）を引き抜いた後、フレッシュコンクリート５０の周囲に４本の自立支柱体１、１・・を立設し、対角線上に配置された２本の支柱３、３をそれぞれ水糸５、５で結ぶことによって該水糸５の交点を形成する。具体的には、上下移動ケース６の高さを調節した後、水糸巻き取りケース４を備えた２つのスランプ測定器具１、１からそれぞれ水糸５，５を繰り出し、先端のリング５ａ、５ａを、それぞれ、対角線上に配置されたスランプ測定器具１の支柱３、３に引っ掛けることにより、フレッシュコンクリート５０の直ぐ上に該水糸５，５の交点が位置するように構成する。
【００２０】
金属平板２０の外形が正方形であり、且つ該金属平板２０にはスランプコーンをその中心に設置するための目印２１が形成されていることにより、スランプコーンは金属平板２０の中心に配置されるように構成されるため、上記のようにして交差した水糸５の交点は、スランプコーンが配置されていた中心と一致することとなる。したがって、この水糸５の交点と、スランプコーンを引き抜いた後のフレッシュコンクリート５０の中心位置５１とを比較することにより、該フレッシュコンクリート５０の横方向へのズレを正確且つ迅速に判断することができる。
【００２１】
図４は、本発明に係るスランプ測定器具および測定方法の他の実施形態を示した平面図である。図４に示した実施形態では、前記実施形態に加えて、スランプ測定器具がさらに透明シート８を備えたものとなっている。該透明シート８は、例えば図５に示すように、円形状の薄いフィルムや板材から構成され、且つ、その中心点８ａを基準とする同心円８ｂが描かれたものである。
【００２２】
該透明シート８を本実施形態のスランプ測定方法として使用する場合、図４に示すように、水糸５，５の交点に、該透明シート８の中心点８ａが重なるようにして水糸５の上に載置する。これにより、金属平板２０上に広がったフレッシュコンクリート５０の中心位置５１のズレを、より一層容易且つ迅速に評価することが可能となる。即ち、透明シート８に描かれた同心円８ｂや、該透明シート８の輪郭そのものを判定基準とすることができるため、フレッシュコンクリートの中心位置をより一層容易且つ迅速に評価することが可能となる。
【００２３】
尚、本発明に係るスランプ測定器具は、上記実施形態に限定されるものではなく、本発明の要旨を逸脱しない範囲内において種々の変更が可能であることは言うまでもない。
例えば、水糸としては材質は限定されず、糸状の細長い形状のものであれば使用することができ、ゴムのように弾力性を有するものであってもよい。
【００２４】
また、支柱を金属平板上に固定する手段としては、上記実施形態のような磁石のほか、金属平板を上下から挟むような構成のものとしてもよい。
また、スランプ測定器具を設置する場所についても、金属平板の四隅に限定されず、水糸どうしがスランプコーンの中心で交差するような場所であれば任意の場所を設定することができる。
【００２５】
さらに、透明シートについても、円形が描かれたもののほか、同心円状に色が付されたものや、同心円状の長穴が形成された構成等を採用することもできる。
【符号の説明】
【００２６】
１                  自立支柱体
２                  磁石
３                  支柱
４                  水糸巻き取りケース
５                  水糸
５ａ                リング
６                  上下移動ケース
７                  固定ネジ
８                  透明シート
８ａ                透明シート中心点
８ｂ                透明シート同心円
２０                金属平板
５０                フレッシュコンクリート
【図１】
2011214956.tif 000003
【図２】
2011214956.tif 000004
【図３】
2011214956.tif 000005
【図４】
2011214956.tif 000006
【図５】
2011214956.tif 000007